(57)【要約】【課題】台所のシンクで、濡れ物の水切りから落ちた水滴を、自動的にシンク内に流し込む器具を提供し、シンク内の作業スペースを拡げる。【解決手段】  この新シンクは、水栓横の水平部を傾斜面にし、その上の水切り板に濡れ物を置けば、下に落ちた水滴は傾斜面を流れてシンク内に落ちる。  既存のシンクには、水栓横の水平部に納まる寸法の水切り器に、落ちてきた水滴を一方向に流す傾斜板底の傾斜器を勘合させたセットを使う。傾斜器の水出口をシンクに合わせ水滴をシンクに落とす。  この手段で、シンク内のタワシや三角コーナーが天板上に載り、シンク内のスペースが拡がる。【選択図】    図１
2005323959.tif 000002
【特許請求の範囲】
【請求項１】
システム  キッチンのシンク水栓横の水平部分を内側に向って緩い傾斜面を造り、濡れ物を直接或いは水切り器を介してその傾斜面に置く事により、落ちた水滴を傾斜面からシンク内に落とす事を特徴としたシンク。
【請求項２】
システム  キッチンのシンク水栓横の水平部分に納まる寸法の、濡れ物を入れる水切り器と、落ちて来た水滴をシンク内に流し込むための傾斜板との組合せによる水切りセット。
【発明の詳細な説明】
【技術分野】
【０００１】  本発明はシステム  キッチンのシンク付近で濡れた  まな板、タワシ、ゴミ入れ等の水切り方法の改善に関するものである。
【背景技術】
【０００２】（イ）  従来、濡れたタワシはシンク内部に吸着させた「タワシ水切り」に入れる。食材ゴミはシンクのコーナーに置かれる「三角コーナー」と言われるゴミ入れが利用される。
（ロ）  最近のシステム  キッチンのシンクでは、水栓横の天板部を壁方向に凹ませて、その凹み部に「タワシ水切り」を作っている。
（ハ）  濡れた  まな板は、吊るして下に「水滴受け皿」を置く。また、タワシ、ゴミ入れを天板上に置こうとすれば、「水切り」の下に「水滴受け皿」を置く必要が生ずる。
【発明の開示】
【発明が解決しようとする課題】
【０００３】  そのために、次のような問題点が生じる。
（イ）はシンク内に、「タワシ水切り」、「三角コーナー」を置くために、狭いシンク内の有効スペースが益々狭くなり、作業がし難くなっている。
（ロ）は（イ）の問題を解決するために考えた方法であろうが、タワシが低い位置のシンク内にあるため、湿った場所で乾き難く、また野菜の土や魚の鱗等のようなゴミが跳ねてタワシに付着して、衛生上の問題が生ずる恐れがある。
更に、ステンレスで細かな形のプレスはし難く、またコストが上がる。
（ハ）は「水滴受け皿」に溜まった水をこまめに捨てないと、皿がヌルヌルになり、手間も掛かり、衛生上も良くない。
本発明は以上の諸問題点を解決するためのものである。
【課題を解決するための手段】
【０００４】  家庭用シンクの水栓両側スペースは水平で、シンクから壁面までの面積は相当な広さがある。普通、ここは液体洗剤、手洗い用石鹸等の置場になっており、充分活用されていない。本発明はこのスペースを有効活用しようとするものである。
シンクの水栓両側の水平部分に、内部に向って傾斜をつける。その傾斜部に水切り用にステンレス製の多孔板或いは網板を置く。この板の上に濡れたタワシ等を載せれば、水滴は下の傾斜部からシンク内に流れ落ちる。
上の考えが基本で、実用するには種々の工夫と器具が必要になって来る。
【発明の効果】
【０００５】  これにより、
（イ）シンク内から、「タワシ水切り」と「三角コーナー」を排除し、作業スペースを広げる事が出来る。
（ロ）タワシを高い位置に移すことで衛生的になる。
（ハ）「水滴受け皿」が不要になり、水を捨てる手間を省き、衛生的になる。
（ニ）ステンレスの傾斜部プレスは凹部プレスより簡単で、コストも安い。
（ホ）広い水切りスペースができる。
シンク内のスペースが広がるので、作業能率が上がり、より衛生的に改善される効果が期待される。
【発明を実施するための最良の形態】
【０００６】  以下、本発明の実施の形態について説明する。実施の形態は２種類ある。本発明機能を持った新製品のシンクを創る場合と、既存シンクに本発明機能を持たせる場合とである。
始めに、新製品の場合について説明する。〔図１〕で水栓の両側水平部を約１０度の傾斜で内側に落とし、その傾斜面（２）に波型の凹凸をつける。この傾斜面の上に〔図２〕のようなステンレス製多孔板、或いは網板の「水切り板」（５）を置く。波型の凹凸は、「水切り板」が傾斜部に密着するのを防ぎ、水はけを良くする。
「水切り板」の水栓左側（９）は〔図４〕のような「食材ゴミ水切り」（１１）を置く。右側は〔図２〕のように、外側にまな板置場（７）、内側にタワシ、洗剤置場（６）となる。その内、外側間の隔離板（８）はタワシ等の水はねの隔離が目的である。「水切り板」の内側を曲げてあるのは、積載物の落下を防ぐのと、「水切り板」の補強のためである。全用品は外して良く洗えるように配慮されている。
以上は「水切り板」を利用する案である。傾斜部に直接濡れ物を置く事も出来るが、その為の付帯用品が必要になり，かえって複雑に成ってしまうので、省略する。【０００７】  既存のシンク、つまり水栓の両側が水平のシンクには〔図３，４，５〕のような用品を使えば、目的が達せられる。
〔図３〕は（２）の機能を持たせた合成樹脂製或いはステンレス製の「傾斜器」で、中に水滴を流すための傾斜角約１０度の傾斜板がある。「傾斜器」（１０）はシンクの縁に置く。〔図４〕は「食材ゴミ水切り」で、多孔底面を通して落ちた水滴は、勘合している「傾斜器」によりシンク内に流れ落ちる。〔図５〕は「まな板、タワシ用水切り」（１３）である。これも底面は多孔で、傾斜器と勘合させて使用する。（１５）はタワシ、洗剤置場で、（１４）は「まな板立て」のステンレス枠である。この場合は寸法上、まな板は縦に置くか、吊るして使用する。
「傾斜器」、「ゴミ水切り」、「まな板、タワシ水切り」は良く洗えるように配慮して、分解できるようにした。この〔図３，４，５〕のセットは、新製品シンクの補助「水切り」にも使用出来る。
更に、「傾斜器」の出口の水を１箇所に集め、パイプでシンクに落とすようにすれば、「水切りユニット」をシンクから離れた所に置く事もできる。
【図面の簡単な説明】
【０００８】
【図１】本発明の新設計シンクの平面図
【図２】本発明の新設計シンク用「水切り板」の斜視図
【図３】本発明の旧シンク用「傾斜器」の斜視図
【図４】本発明の「食材ゴミ水切り」の斜視図
【図５】本発明の「まな板、タワシ水切り」の斜視図  （註）上記（図２）の（水切り板）、（図４）の「食材ゴミ水切り」、（図５）の「まな板、タワシ水切り」の夫々斜視図で、煩雑の為水切り孔を省略した。
【符号の説明】
【０００９】１      水栓
２      傾斜面
３      シンク天板
４      シンク部
５      「水切り板」
６      タワシ、洗剤置場
７      まな板置場
８      まな板とタワシの隔離板
９      「食材ゴミ水切り」の置場
１０    「傾斜器」
１１    「食材ゴミ水切り」
１２    傾斜器との勘合部
１３    「まな板、タワシ水切り」
１４    「まな板立て」のステンレス枠
１５    タワシ、洗剤置場
【図１】
2005323959.tif 000003
【図２】
2005323959.tif 000004
【図３】
2005323959.tif 000005
【図４】
2005323959.tif 000006
【図５】
2005323959.tif 000007